(57)【要約】【課題】本発明は、部品点数の少ない簡単な構造で、適量の播種を容易に実現できる点播技術を提供する。【解決手段】ドラムを回転させて内部に充填される種子を点播するドラム式直播機であって、前記ドラムの外周に突起を設け、かつ、該突起のドラム回転方向下流側に点播部を設け、前記突起で地面に凹みを付けた後に、前記点播部で該凹みの中に前記種子を播種することを特徴とする。突起によって形成される凹みの内部に播種することで、播種後の種子の移動を防ぎ、条間、株間の間隔を保つことができる。また、突起の下流側に点播部を設け、点播のタイミングを突起による凹み形成後とすることで、点播部に泥、土が混入することを防止できる。ドラム内に種子を充填させて、ドラムの外周に設けられる点播部で播種することでホッパ、繰出装置等の別途の部材が不要となる。【選択図】図６
2017000096.tif 000002
【特許請求の範囲】
【請求項１】
ドラムを回転させて内部に充填される種子を点播するドラム式直播機であって、
前記ドラムの外周に突起を設け、かつ、該突起のドラム回転方向下流側に点播部を設け、
前記突起で地面に凹みを付けた後に、前記点播部で該凹みの中に前記種子を播種することを特徴とするドラム式直播機。
【請求項２】
前記ドラムは、前記突起よりも突出するＰＴＯ用突起を備え、該ＰＴＯ用突起が地面と接触することによってドラムが回転する請求項１に記載のドラム式直播機。
【請求項３】
前記ドラムは、前記点播部の周囲に排水用突起を備え、該排水用突起によって、前記種子の播種位置の周囲に排水用の溝を設ける請求項１又は２に記載のドラム式直播機。
【請求項４】
前記ドラム回転方向に沿って、該ドラムの内部空間と、前記点播部の内部とを隔離可能な帯状部材が設けられ、
前記帯状部材は、前記点播部が播種位置を過ぎて、水平になるまでの間に、前記ドラムの内部空間と点播部の内部空間とを連通する開放区間を有し、該開放区間以外では、前記ドラムの内部空間と点播部の内部とを隔離する請求項１から３の何れか一項に記載のドラム式直播機。
【請求項５】
前記点播部は、その内部に前記種子を一時的に溜める種子溜まりと、該種子溜まりとドラム外周とを連通するシャッタと、該シャッタを開閉するカムリンク機構と、を備え、
前記シャッタは、ドラム回転方向の上流側に向けて開放し、
前記カムリンク機構は、前記ドラムの回転に対して回転不能に固定されるカムと、該カムと当接するとともに、前記ドラムの回転とともにカムの周囲を回転し、所定のタイミングで前記シャッタを開放するリンク部材と、該リンク部材を前記カムに向けて付勢し、前記シャッタが閉鎖する方向に常時付勢する付勢部材と、を備える請求項１から４の何れか一項に記載のドラム式直播機。  
【発明の詳細な説明】
【技術分野】
【０００１】
本発明は、圃場の所定箇所に連続的に播種する点播技術に関し、走行機体の後方に装着されるドラム式直播機を用いて点播する技術に関する。
【背景技術】
【０００２】
特許文献１及び特許文献２には、ホッパに貯留される種子を繰り出すための繰出ロールを条毎に設け、繰出ロールからの排出口に作溝器を設けて、作溝器で形成した溝内に繰出ロールから所定のタイミングで点播する点播技術が開示されている。
【先行技術文献】
【特許文献】
【０００３】
【特許文献１】特開２０１３−２１９４３号公報
【特許文献２】特開２０１４−６８５７２号公報
【発明の概要】
【発明が解決しようとする課題】
【０００４】
従来の点播技術では、少なくとも、種子を貯留するホッパ、ホッパから適量の種子を繰り出す繰出装置、繰出装置から播種位置まで導く供給路、並びに、播種位置に溝を設ける作溝器が必要となっていた。そのため、部品点数が多くなり、さらに、種子を適量繰り出すために複雑な構造が必要となっていた。
本発明は、部品点数の少ない簡単な構造で、適量の播種を容易に実現できる点播技術を提供する。
【課題を解決するための手段】
【０００５】
本発明は、ドラムを回転させて内部に充填される種子を点播するドラム式直播機であって、前記ドラムの外周に突起を設け、かつ、該突起のドラム回転方向下流側に点播部を設け、前記突起で地面に凹みを付けた後に、前記点播部で該凹みの中に前記種子を播種することを特徴とする。
突起によって形成される凹みの内部に播種することで、播種後の種子の移動を防ぎ、条間、株間の間隔を保つことができる。また、突起の下流側に点播部を設け、点播のタイミングを突起による凹み形成後とすることで、点播部に泥、土が混入することを防止できる。ドラム内に種子を充填させて、ドラムの外周に設けられる点播部で播種することでホッパ、繰出装置等の別途の部材が不要となる。
従って、部品点数の少ない簡単な構造で、適量の播種を容易に実現できる点播技術を提供できる。
【０００６】
前記ドラムは、前記突起よりも突出するＰＴＯ用突起を備え、該ＰＴＯ用突起が地面と接触することによってドラムが回転する。
ドラム自体に回転駆動源となるＰＴＯ用突起を設けることで、別途の駆動源が不要である。
【０００７】
前記ドラムは、前記点播部の周囲に排水用突起を備え、該排水用突起によって、前記種子の播種位置の周囲に排水用の溝を設ける。
播種と同時に排水用の溝を地面に付けることができる。排水用の溝を設けることによって潅水後に播種位置に水が溜まらず、種子の発芽、成長を阻害することがない。
【０００８】
前記ドラム回転方向に沿って、該ドラムの内部空間と、前記点播部の内部とを隔離可能な帯状部材が設けられ、前記帯状部材は、前記点播部が播種位置を過ぎて、水平になるまでの間に、前記ドラムの内部空間と点播部の内部空間とを連通する開放区間を有し、該開放区間以外では、前記ドラムの内部空間と点播部の内部とを隔離する。
帯状部材によって、種子が充填されるドラム内部と点播部の内部とを所定の区間内のみで連通することで、一定量の種子を安定的に播種できる構造を提供できる。
【０００９】
前記点播部は、その内部に前記種子を一時的に溜める種子溜まりと、該種子溜まりとドラム外周とを連通するシャッタと、該シャッタを開閉するカムリンク機構と、を備え、前記シャッタは、ドラム回転方向の上流側に向けて開放し、前記カムリンク機構は、前記ドラムの回転に対して回転不能に固定されるカムと、該カムと当接するとともに、前記ドラムの回転とともにカムの周囲を回転し、所定のタイミングで前記シャッタを開放するリンク部材と、該リンク部材を前記カムに向けて付勢し、前記シャッタが閉鎖する方向に常時付勢する付勢部材と、を備える。
【発明の効果】
【００１０】
本発明によれば、部品点数の少ない簡単な構造で、適量の播種を容易に実現できる点播技術を提供できる。
【図面の簡単な説明】
【００１１】
【図１】ドラム式直播機及びそれが装着された走行機体の全体構成を示す側面図である。
【図２】ドラム式直播機の背面図である。
【図３】ドラム式直播機の背面断面図である。
【図４】ドラム式直播機の側面断面図である。
【図５】ドラム式直播機の背面断面拡大図である。
【図６】ドラム式直播機による播種の様子を示す図である。
【図７】ドラム式直播機において点播部に種子を溜める様子を示す図である。
【図８】排水用突起を示す背面図である。
【図９】排水用突起によって形成される溝を示す図である。
【図１０】排水用突起の別実施形態を示す図である。
【図１１】排水用突起の他の実施形態を示す図である。
【図１２】排水用の突起を点播用の突起としても用いた場合の実施形態を示す図である。
【図１３】排水用の突起をＰＴＯ用の突起としても用いた場合の実施形態を示す図である。
【図１４】排水用の突起をＰＴＯ用の突起としても用いた場合の別実施形態を示す図である。
【図１５】点播部の別実施形態を示す図である。
【図１６】ドラム式直播機の別実施形態を示す図である。
【図１７】ドラムの別実施形態を示す図である。
【発明を実施するための形態】
【００１２】
図１を参照して、ドラム式直播機１を後部に装着した走行機体２の全体構成について説明する。ドラム式直播機１は、走行機体２の走行によって回転しつつ地面に播種する播種機である。
【００１３】
走行機体２は、エンジン３、エンジン３からの動力を変速するトランスミッション４、エンジン３及びトランスミッション４を支持する機体フレーム５、エンジン３及びトランスミッション４から伝達される動力によって駆動される前輪６及び後輪７等を備える。
エンジン３及びトランスミッション４からの動力は、それぞれフロントアクスルケース８、リアアクスルケース９に伝達される。フロントアクスルケース８は、機体フレーム５の前部に支持されるとともに、その左右両端部に前輪６が支承される。同様に、リアアクスルケース９は、機体フレーム５の後部に支持されるとともに、その左右両端部に後輪７が支承される。
機体フレーム５の上部は、ステップ１０によって被覆されており、オペレータは、ステップ１０上を移動可能である。
【００１４】
走行機体２の前後中途部に運転席１１が配置され、その前方に操向ハンドル１２、操作ペダル１３、及び、ダッシュボード１４等が設けられる。ダッシュボード１４には、操向ハンドル１２に加えて各種操作用の操作具、表示装置が配置されている。
【００１５】
走行機体２の後部には、昇降リンク機構２０を介してドラム式直播機１が連結される。昇降リンク機構２０は、左右一対の上リンク２１及び下リンク２２、昇降シリンダ２３、ヒッチ２４等を備える。ヒッチ２４は、上リンク２１と下リンク２２の後端を連結する連結部材であり、ヒッチ２４にドラム式直播機１が連結される。昇降シリンダ２３は、下リンク２２間に固定される回転アーム２５に接続される。昇降シリンダ２３によって回転アーム２５を移動させることで下リンク２２、上リンク２１を回動させてヒッチ２４に連結されたドラム式直播機１を昇降させる。
【００１６】
［ドラム式直播機］
図２から図５を参照して、ドラム式直播機１について説明する。
ドラム式直播機１は、中空のドラム３１、ドラム３１の外周に設けられる複数の突起３２、各突起３２に対して回転方向下流側に設けられる点播部３３、及び、ドラム３１の両側端に固定されるＰＴＯ用突起３４を備える。
【００１７】
ドラム３１は、中空の円筒状部材であり、その内部に種子を充填可能である。円筒状のドラム３１の両側面の開口には蓋３５が設けられ、その蓋３５の一側が開放可能に構成されている。密閉側の蓋３５は、ドラム３１の内側面に固定され、開放側の蓋３５は、ボルト等の締結具を介してＰＴＯ用突起３４の外側面に固定される。蓋３５を取り外すことで、ドラム３１の内部に種子を充填することができる。若しくは、蓋３５に種子充填用の窓を設けて、その窓を通じて内部に種子を充填する構成としても良い。
ドラム３１は、昇降リンク機構２０に対して回動自在に軸支されている。具体的には、ドラム３１の中心に支軸３６が設けられており、支軸３６が各蓋３５の内方側に固定されたベアリング３７によって支持されている。そして、支軸３６が昇降リンク機構２０に対して固定されていることで、ドラム３１が昇降リンク機構２０に対して回動自在に支持される。
【００１８】
突起３２は、ドラム３１の外表面から径方向外側に向けて突出して設けられる。突起３２は、ドラム３１の軸方向に複数（図示では４条分）配列され、かつ、ドラム３１の周方向に沿って複数（図示では６個）配列される。ドラム３１の回転に伴い突起３２が地面と接触し、突起３２が接触した箇所に凹みが形成される。
点播部３３は、ドラム３１の内部と外部とを一時的に連通することで、ドラム３１の内部に貯溜された種子を定量取り出して播種する。点播部３３は、突起３２のドラム３１回転方向下流側、つまり後方に配置され、突起３２が形成した凹みの内側に種子を点播する。
このように、突起３２によって直前に形成された凹みの内部に、ドラム３１に貯溜される種子を点播部３３によって適量取り出して播種する構成を採用することで、ホッパ、繰出装置、供給路、作溝器等の複雑な部品を必要とせず、部品点数の少ない簡単な構造の点播装置を提供できる。
【００１９】
［ＰＴＯ用突起］
ＰＴＯ用突起３４は、ドラム３１の両側端に設けられ、外表面から径方向外側に向けて突出して設けられる。ＰＴＯ用突起３４は、ドラム３１の周方向に沿って複数（図示では１２個）配置される。ＰＴＯ用突起３４の突出量は、突起３２よりも十分に大きくなるように設定される。つまり、ＰＴＯ用突起３４は、ドラム式直播機１で最も径方向外側に突出した部位として形成されている。そして、ＰＴＯ用突起３４が地面と接触することでドラム３１を回転させる外力が発生する。言い換えれば、ドラム３１自体に回転駆動源となるＰＴＯ用突起３４を設けることで、ドラム式直播機１は、地面から動力を得て回転する構造を有する。
このように、ドラム３１自身を回転駆動源として用いることで、別途の回転駆動源が不要となり、ドラム式直播機１の構造を簡素化できる。
【００２０】
なお、ＰＴＯ用突起３４を設けて、ドラム３１自体を回転駆動源とする構成を採用しない場合は、トランスミッション４又はリアアクスルケース９から動力を取ってチェーン駆動でドラム３１を回転させること、若しくは、モータ駆動等でドラム３１を回転させることも可能である。このように、別途の駆動源を設けることで、ドラム３１を強制的に回転駆動させ、確実に点播作業を継続できるという効果を奏する。
本実施形態のように、ドラム３１の支軸３６を回転不能としている場合は、ドラム３１の側面に動力を伝達することで実現できる。ドラム３１の支軸３６を回転自在とした場合は、支軸３６に直接動力を伝達することも可能である。
【００２１】
［点播部］
点播部３３は、ドラム３１の外表面に設けられ、ドラム３１の内部空間と外部を連通する部位である。点播部３３は、種子を一時的に溜める種子溜まり４１と、種子溜まり４１の内部とドラム３１の外周を連通するシャッタ４２と、シャッタ４２を開閉するカムリンク機構４３を備える。シャッタ４２は、回転方向下流側に回動支点を有し、上流側に向けて開放させるように構成される。カムリンク機構４３は、シャッタ４２の開閉タイミングを制御することで、点播部３３での播種タイミングを制御する。
【００２２】
カムリンク機構４３は、ドラム３１の支軸３６に固定されたカム４４と、カム４４の表面に当接するとともに、ドラム３１の内側面に固定されることでドラム３１の回転に伴ってカム４４の周囲を回転するリンク部材４５と、リンク部材４５をカム４４側に向けて付勢する付勢部材４６を備える。
カム４４は、点播部３３の播種位置に対応する部位が大径部となるカムプロフィールを有する。リンク部材４５の他側はシャッタ４２の内側面に固定され、カム４４のカムプロフィールに応じてシャッタ４２を押圧する。付勢部材４６は、リンク部材４５をカム４４側に向けて付勢する、つまり、シャッタ４２を閉鎖する方向に常時付勢している。カム４４によってリンク部材４５がシャッタ４２側に押されることで、付勢部材４６の付勢力に抗してシャッタ４２が回転方向上流側に向けて開放される。
【００２３】
ドラム３１の内部には、ドラム３１の回転方向に沿って帯状部材５０が設けられる。帯状部材５０は、ドラム３１の支軸３６に固定され、ドラム３１の回転に追従して回転することがないように設けられる。帯状部材５０は、ドラム３１の周方向に沿って複数配置される点播部３３と同じ周上に配置されている。
帯状部材５０は、点播部３３の内部空間として設けられる種子溜まり４１をドラム３１の内部空間から隔離するために配置されている。具体的には、帯状部材５０は、ドラム３１の下部に配置される点播部３３による播種位置を過ぎて、水平になるまでの区間の一部が切り取られた形状を有し、その開放区間において、種子溜まり４１とドラム３１の内部空間が連通して種子が種子溜まり４１に供給され、開放区間以外においては、種子溜まり４１はドラム３１の内部空間から隔離される。
【００２４】
［播種］
図６に示すように、ドラム３１が回転し、突起３２が地面と接触することで凹みを形成し、さらにドラム３１が回転して、リンク部材４５の基端がカム４４の大径部に達したときに、リンク部材４５がシャッタ４２を押し下げて開放し、突起３２によって形成された凹みの中に播種する。
このように、突起３２の下流側に配置される点播部３３によって突起３２で形成された凹み内に播種することで、播種後の種子の移動を防ぎ、条間、株間の間隔を保つことができる。その際、突起３２によって形成された凹みに対して播種することで、点播部３３と地面との接触を防止でき、点播部３３への泥、土の混入を抑制でき、目詰まりを最小限に抑えることができる。また、点播部３３のシャッタ４２が凹みの内側に向けて開放されることで、シャッタ４２に地面からの抵抗が加わることがなく、シャッタ４２及びカムリンク機構４３の寿命を向上できる。さらに、シャッタ４２がドラム３１の回転方向上流側に向けて開放されることで、種子溜まり４１内への泥、土の浸入を確実に防ぐことができる。
【００２５】
［種子供給］
図７に示すように、点播部３３の種子溜まり４１が帯状部材５０の開放区間を通過する際に、ドラム３１の内部に貯溜された種子が種子溜まり４１の内部に入り込む。その際、帯状部材５０が斜め後方に向けて開放されていることで、ドラム３１が回転し、下端から上昇する際に種子溜まり４１内にドラム３１の内部に充填された種子が供給される。このように、種子溜まり４１が上昇する際に種子が供給されることで、安定的に一定量の種子を種子溜まり４１に供給できる。
【００２６】
［排水用突起］
図８に示すように、ドラム３１の外表面に排水用突起６０が設けられる。排水用突起６０は、点播部３３の周囲に配置されている。図示では、排水用突起６０は、点播部３３を中心として十字状に配置される。
図９に示すように、ドラム３１の回転に伴う点播部３３による播種と同時に、排水用突起６０によって点播部３３による播種位置Ａの周囲に排水用の溝Ｂが形成される。このように、ドラム３１の回転運動に伴って形成される排水用の溝Ｂにより、潅水後の播種位置Ａに貯まる水を溝Ｂに流しやすくなり、播種位置Ａにおける水はけを良好なものにできる。従って、点播された種子の発芽及び発芽後の成長を阻害することがない。
【００２７】
図１０に示すように、排水用突起６０を斜めに交差するように設けても良い。この場合の排水用突起６０は、斜めに交差するとともに、ドラム３１の端部で突起が折り返されて連続するように設けることで、継ぎ目のない溝Ｂを形成することができ、排水性能を最大限に発揮できる。また、図１１に示すように、排水用突起６０をドラム３１の一側端から他側端に向けた螺旋状に設けても良い。この場合も同様に、継ぎ目のない溝Ｂを形成することができる。
【００２８】
図１２に示すように、十字状に設けた排水用突起６０を点播用の突起３２として機能させることも可能である。つまり、十字状の排水用突起６０によって形成される溝Ｂの交差部分が播種位置Ａとなるように、排水用突起６０のプロフィールを設定することで、排水用突起６０によって形成される溝Ｂの内部に点播部３３による播種位置Ａが含まれるようにすることも可能である。
また、同様に、斜め交差状又は螺旋状に設けた排水用突起６０を点播部３３の前方側に配置し、点播用の突起３２として機能させることも可能である。つまり、排水用突起６０のプロフィールを全ての点播部３３のドラム３１の回転方向上流側を通過するように設定することで、排水用突起６０によって形成される溝Ｂの内部に点播部３３による播種位置Ａが含まれるようにすることも可能である。
このような場合、排水用の溝内で移動しないように、複数の種子を水溶性の肥料でコーティングして一つの塊として播種することが好ましい。
【００２９】
図１３に示すように、排水用突起６０を十字状に設けた場合において、ドラム３１の周方向に沿って形成された排水用突起６０を分割して配置し、かつドラム３１の外周面からの突出量が最も大きくなるように配置する。これにより、排水用突起６０が地面と接触してドラム３１の回転駆動源となり、ＰＴＯ用突起３４が不要となる。この場合、軸方向に沿って設けられる排水用突起６０の突出量を小さくすることでドラム３１の回転を阻害することなく、かつ、排水用の溝も形成することが可能である。
また、図１４に示すように、排水用突起６０をＰＴＯ用突起３４としても機能させることも可能である。つまり、ＰＴＯ用突起３４の代わりに、排水用突起６０がドラム３１の外周面から最も外側に突出するように設けるとともに、排水用突起６０を斜めに配置し、かつ、ドラム３１の端部から中央に向かって反対向きとなるように配置する。これにより、排水用突起６０が地面と接触してドラム３１の回転駆動源となる。この場合、排水用突起６０の形成方向を中央から見て対称とすることで、ドラム３１に生じるスラストを打ち消すことが可能である。
【００３０】
排水用突起６０は、ドラム３１に対して着脱可能とし、地面の硬さ等に応じて取り換え可能な構成としても良い。具体的には、ドラム３１の外周面に所定のプロフィールを持ったガイドを設けて、材質及び／又は突起突出量の異なる排水用突起６０をガイドに固定する構成、若しくは、ドラム３１の外周面に複数のボルト穴を設けて、材質及び／又は外形プロフィールの異なる排水用突起６０をボルト固定する構成を採用できる。このように、種々の特性を有する排水用突起６０を条件に合わせて使用することで、最適な排水用溝を形成することが可能となる。
【００３１】
また、排水用突起６０のピッチを小さくして、排水用の溝を細かく形成し、鳥害を防止することも可能である。この場合は、排水用突起６０の突出量を小さくするとともに、ドラム３１の外周面に密に設けることで実現できる。
同様に排水用の溝を細かく形成する実施形態としては、排水用突起６０による溝形成に換えて、ブラシ、レーキ等を用いても良い。例えば、ブラシをドラム３１の後方に配置することで、点播後の地面にブラシによる細かい溝を線状に形成することが可能である。
鳥害を防止する他の実施形態としては、播種位置の周囲に土塊を形成する方法を採用することもできる。この場合、ドラム３１の外周の所定箇所に地面の土を掘り返すバケットを取り付けることで実現できる。その他、ドラム式直播機１の後部に覆土板等を取り付けて播種後に覆土することで鳥害を防止する構成も採用できる。
【００３２】
排水用突起６０とＰＴＯ用突起３４が形成されたドラムを点播用のドラム３１から独立させて設け、点播用のドラム３１の回転動力をＰＴＯ用突起３４が形成されたドラムから機械的に又は両ドラムを接触させた摩擦で伝達する構成としても良い。
また、排水用突起６０が形成されるドラムを点播用のドラム３１から独立させて設けることも可能であり、係る場合は、トランスミッション４又はリアアクスルケース９から動力を取ってチェーン駆動で各ドラムを回転させる、若しくは、モータ駆動等で回転させる構成を採用できる。さらに、排水用突起６０に換えて整地用の作業機を配置しても良い。これによれば、点播する直前に整地することで、種子の発芽、成長を促すことが可能となる。
【００３３】
点播部３３に泥が付着することに起因する目詰りを防止するために、エアを吹き付けるブロアを設けたり、ドラム３１に衝撃を与える振動板を設けたり、ドラム３１の外表面をはらうスクレーパ、ブラシ等を設けたりすることも可能である。なお、このような目詰り防止構造は、ドラム３１の上方に設けられることが好ましい。
【００３４】
ドラム式直播機１において、ドラム３１を幅方向に連結し、多条化することも可能である。例えば、継ぎ手を用いて隣接するドラム３１の支軸３６を連結し、幅方向に延設できる。
【００３５】
点播部３３の種子溜まり４１の開閉構造として、カムリンク機構４３を用いてシャッタ４２を開閉する構造に換えて、シャッタ４２のみを用いた開閉構造を採用することができる。つまり、シャッタ４２を種子溜まり４１の開口（つまり、ドラム３１の外側面側の開口）に対してドラム３１の回転方向下流側から上流側に向けて一方向にスライド可能とし、シャッタ４２がドラム３１の下端を通過して上昇する際に重力によって自発的にスライドする構造とすることも可能である。また、このようなシャッタ４２の開放タイミングについては、所定の鉛直方向の重量がかかったときに外れるストッパ、所定のバネ係数を有するバネ等を用いて調整可能である。
【００３６】
図１５に示すように、カムリンク機構４３を用いて播種する点播部３３の播種構造に換えて、ピストン７０を往復動させて開口７１から播種する構成としても良い。ピストン７０は、往復動することで点播部３３に設けられる開口７１を開閉する構成であり、カムリンク機構４３によってシャッタ４２を開閉するタイミングと同じタイミングで、開口７１を開閉する。また、開口７１によって良好に点播が行われるように、開口７１の内側は円錐状に形成されることが好ましい。
【００３７】
図１６に示すように、ドラム式直播機１は、播種と同時に潅水する構成としても良い。
ドラム３１の外周面に設けられた各点播部３３のドラム回転方向下流側に潅水用の穴８０を設け、穴８０に潅水用の水を貯溜するタンク８１からのホース８２を接続する。例えば、タンク８１は、走行機体２側に配置され、ホース８２は、ドラム３１の支軸３６から各穴８０に向かって延出して配置され、かつ、その延出部はドラム３１の回転に追従して回転可能に構成される。このように、点播部３３による播種直後に潅水することで、種子の発芽を促進する効果を得られる。タンク８１内の水に水溶性肥料を混ぜても良い。
また、点播部３３への種子の供給も走行機体２側に配置された種子タンク８５からホース８６を介して行われる構成としても良い。この場合は、種子をドラム３１内に充填しないことで、種子の補充が簡単になり、ドラム３１の重量も小さくできる。
【００３８】
図１７に示すように、ドラム一回転につき一回の点播を行う構成とすることも可能である。つまり、側面視において、ドラム９０は、円周の略四分の一程度の円弧状のプロフィールを持つ円弧部９１と、円弧部９１の対面に配置され、円周よりも突出して設けられる突起部９２と、突起部９２の回転方向下流側に設けられる点播部９３を備える。円弧部９１と突起部９２との間は、円周から内側に向けて凹んだ部位として形成され、係る部位に点播部９３が配置されている。
このように構成されたドラム９０では、突起部９２によって地面に凹みを設けて、その凹みの内部に点播部９３によって種子を播種し、さらに円弧部９１によって播種後の地面を沈圧する。このとき、点播部９３による播種位置に沿って円弧部９１の周方向に溝を設けて、円弧部９１による沈圧の際に、播種位置に盛り土することもできる。また、点播部９３による播種位置を挟むように、円弧部９１の周方向に排水用突起６０を設けて、播種位置の周囲に排水用の溝を形成することができる。
【符号の説明】
【００３９】
１：ドラム式直播機、３１：ドラム、３２：突起、３３：点播部、３４：ＰＴＯ用突起、４１：種子溜まり、４２：シャッタ、４３：カムリンク機構、４４：カム、４５：リンク部材、４６：付勢部材、５０：帯状部材、６０：排水用突起、Ａ：播種位置、Ｂ：排水用の溝  
【図１】
2017000096.tif 000003
【図２】
2017000096.tif 000004
【図３】
2017000096.tif 000005
【図４】
2017000096.tif 000006
【図５】
2017000096.tif 000007
【図６】
2017000096.tif 000008
【図７】
2017000096.tif 000009
【図８】
2017000096.tif 000010
【図９】
2017000096.tif 000011
【図１０】
2017000096.tif 000012
【図１１】
2017000096.tif 000013
【図１２】
2017000096.tif 000014
【図１３】
2017000096.tif 000015
【図１４】
2017000096.tif 000016
【図１５】
2017000096.tif 000017
【図１６】
2017000096.tif 000018
【図１７】
2017000096.tif 000019